(57)【要約】【課題】車両が走行中であっても現在選局されている放送の内容を車内の運転手が安全かつ速やかに把握する。【解決手段】ＣＰＵ２０はデータ放送デコード部１６がデコードしたデータ放送用データのうちＳＤＴに含まれる放送局名およびチャンネル番号に加え、ＥＩＴにおける前述した各記述子に含まれる番組名、番組ジャンルおよび番組記述などの情報を取得する。ＣＰＵ２０はこの取得した情報の音声合成を指示する旨の制御信号を音声合成処理部１７に出力する。音声合成処理部１７はＣＰＵ２０からの制御信号の入力にともない、音声メモリ部２２に記憶される音声データをもとに前述した放送局名、チャンネル番号に加え、ＥＩＴに含まれる番組名および番組内容の音声合成を行ない、この音声をスピーカ２５から出力させる。【選択図】図１
2007235417.tif 000002
【特許請求の範囲】
【請求項１】
放送内容の情報を含む地上波ディジタル放送電波を受信選局する受信選局手段と、
この受信選局手段により受信選局した放送電波に含まれる前記放送内容の情報を抽出する抽出手段と、
この抽出手段により抽出した情報を音声に変換する変換手段と、
この変換手段により変換した音声を出力する音声出力手段と
を備えたことを特徴とするディジタル放送車載受信装置。
【請求項２】
搭載車両の走行状態を検出する走行状態検出手段をさらに備え、
前記変換手段は、
前記搭載車両が走行中であると前記走行状態検出手段が検出した場合に前記抽出手段により抽出した情報を音声に変換する
ことを特徴とする請求項１に記載のディジタル放送車載受信装置。
【請求項３】
前記受信選局手段により受信選局した放送電波に含まれる前記放送内容の情報は当該受信選局した放送電波の放送局名、チャンネル番号、番組名および番組ジャンルのうち少なくとも１種類の情報である
ことを特徴とする請求項１に記載のディジタル放送車載受信装置。
【請求項４】
音声合成用の音声データを記憶する記憶手段をさらに備え、
前記変換手段は、
前記記憶手段に記憶された音声データを組み合わせることで前記抽出手段により抽出した情報を音声に変換する
ことを特徴とする請求項１に記載のディジタル放送車載受信装置。
【発明の詳細な説明】
【技術分野】
【０００１】
本発明は、データ放送用の情報が含まれるディジタル放送電波を受信する機能を有するディジタル放送車載受信装置に関する。
【背景技術】
【０００２】
従来、車両に搭載されてディジタル方式の放送を受信するディジタル放送受信装置がある。このディジタル放送受信装置は映像情報、音声情報および番組内容の情報などが多重化された放送電波を受信して、この放送電波に含まれる映像情報、音声情報および番組放送用の情報を再生する機能を有する。
【０００３】
また、例えば特許文献１に開示されたように、車両内のユーザがデータ放送の内容を把握し易くするために、第１の表示装置と第２の表示装置をそれぞれ設けた上で番組放送用の情報の一部を第１の表示装置に表示させ、この番組放送用の情報のうちその他の情報を第２の表示装置に表示させる。
【特許文献１】特開２００３−２１９３０１号公報
【発明の開示】
【発明が解決しようとする課題】
【０００４】
車両の運転手が運転中に地上波ディジタル放送受信装置の表示装置の画面を見ることは危険である。しかし、運転手は車両の走行中に表示画面を見ずにスピーカから出力される音声を聞くだけでは、例えばＣＭ中である場合には現在選局されている放送の内容を速やかに把握できない。
【０００５】
そこで、本発明の目的は、車両が走行中であっても現在選局されている放送の内容を車内の運転手が安全かつ速やかに把握することが可能になるディジタル放送車載受信装置を提供することにある。
【課題を解決するための手段】
【０００６】
すなわち、本発明に係わるディジタル放送車載受信装置は、放送内容の情報を含む地上波ディジタル放送電波を受信選局し、この受信選局した放送電波に含まれる前記放送内容の情報を抽出し、この抽出した情報を音声に変換して出力することを特徴とする。
【発明の効果】
【０００７】
本発明に係わるディジタル放送車載受信装置では、車両が走行中であっても現在選局されている放送の内容を車内の運転手が安全かつ速やかに把握することができる。
【発明を実施するための最良の形態】
【０００８】
以下図面により本発明の実施形態について説明する。  
図１は、本発明の実施形態にしたがったディジタル放送車載受信装置の構成例を示すブロック図である。  
図１に示すように、本発明の実施形態にしたがったディジタル放送車載受信装置１はチューナ部１１、ディジタル復調部１２、ＴＳ（Transport Stream）デコード部１３、音声デコード部１４、映像デコード部１５、データ放送デコード部１６、音声合成処理部１７、ＲＡＭ１８、ＲＯＭ１９、ＣＰＵ２０、入出力インタフェース２１を備え、それぞれがバスライン２３を介して相互に接続される。また、音声合成処理部１７は音声メモリ部２２と接続される。
【０００９】
チューナ部１１はディジタル放送電波をアンテナ１０を介して受信および選局する。ディジタル復調部１２は予め定められたディジタル変調方式により変調された信号を元のディジタル信号のＴＳに復調する。
【００１０】
ＴＳデコード部１３は復調されたＴＳを選局チャンネルの音声データ、映像デ−タおよびデータ放送用データに分離する。音声デコード部１４は分離された音声デ−タをデコ−ド（復号）してスピーカ２５に出力する。映像デコード部１５は分離された映像デ−タをデコ−ドして表示部２６に出力する。
【００１１】
データ放送デコード部１６は分離されたデータ放送用デ−タをデコ−ドする。ＲＡＭ１８にはＥＰＧデ−タ等、制御に必要なデ−タが記憶される。ＲＯＭ１９は制御用プログラムが記憶される。ＣＰＵ２０は装置全体の動作を司る。音声メモリ部２２には音声合成用の音声データが記憶される。音声合成処理部１７は音声メモリ部２２に記憶された音声データを合成してスピーカ２５に出力する。
【００１２】
また、入出力インタフェース２１はリモコン２４からの赤外線信号を受信する。入出力インタフェース２１はディジタル放送車載受信装置１の外部の走行状態検出部３１と接続される。車内には車速センサ３２およびパーキングブレーキセンサ３３がさらに備えられる。
【００１３】
車速センサ３２は車両の前輪の回転軸などの図示しない回転駆動部に設けられており、当該車両の速度を検出する。パーキングブレーキセンサ３３は車両のパーキングブレーキの稼動状況を検出する。
【００１４】
走行状態検出部３１は車速センサ３２やパーキングブレーキセンサ３３からの出力に基づいて、車両が走行状態および停車状態のいずれにあるかを示す走行状態信号を出力する。
【００１５】
データ放送用のデータにはＳＩ（Service Information）が含まれる。ＳＩには各種のテーブルが含まれる。各種テーブルのうちＥＩＴ（Event Information Table）およびＳＤＴ（Service Description Table）はＥＰＧ（Electronic Program Guide）の表示に使用されるテーブルである。
【００１６】
ＥＩＴのイベント毎の繰り返し部分にはイベント識別、開始時間、継続時間、進行状態、スクランブル、記述子領域長および記述子領域が含まれる。また、ＳＤＴには選局した放送局名やチャンネル番号などが含まれる。
【００１７】
ＥＩＴの記述子領域には番組に関する詳細な情報をテキスト形式で記述できるようになっている。この記述子領域には短形式イベント記述子、拡張形式イベント記述子およびコンテント記述子などが含まれており、番組選択に必要な情報が詳細に記述できるデータ構造となっている。  
短形式イベント記述子は番組名、番組記述などの情報の記述子である。拡張形式イベント記述子は原作、脚本、監督、出演者などの情報の記述子である。
【００１８】
図２は、本発明の実施形態にしたがったディジタル放送車載受信装置が受信した電波に含まれるコンテント記述子テーブルの構成例を表形式で示した図である。  
コンテント記述子は６桁の英数字である。コンテント記述子は受信選局電波の番組のジャンルの記述子である。ジャンルとは例えばドラマ、ニュース、スポーツなどのジャンル情報やシリーズ物、再放送などの情報である。例えばコンテント記述子が「０ｘ００ｘ１」であれば受信選局電波の番組のジャンルは「天気」である。ディジタル放送車載受信装置１のＲＯＭ１９には図２に示したようなテーブルが記憶されている。
【００１９】
ＣＰＵ２０は受信した電波に含まれるコンテント記述子の上３桁と図２に示したテーブルの「content_nibble_level_1」とを照合し、かつコンテント記述子の下３桁と図２に示したテーブルの「content_nibble_level_2」とを照合することで受信電波の番組のジャンルを判別する。
【００２０】
次に、図１に示した構成のディジタル放送車載受信装置の動作について説明する。図３は、本発明の実施形態にしたがったディジタル放送車載受信装置の処理動作の一例を示すフローチャートである。
【００２１】
まず、ＣＰＵ２０はリモコン２４に対する操作にしたがって放送電波の受信および選局の指示を示す制御信号をチューナ部１１に出力する。チューナ部１１はＣＰＵ２０からの制御信号の入力にしたがって放送電波の受信および選局を行なう（ステップＳ１）。  
すると、ＣＰＵ２０は走行状態検出部３１からの走行状態信号を入力して車両が走行状態にあるか否かを判別する（ステップＳ２）。
【００２２】
ＣＰＵ２０は走行状態信号が車両の走行中を示す信号である場合（ステップＳ２）には、データ放送デコード部１６がデコードしたデータ放送用のデータ中のうちＳＤＴに含まれる放送局名およびチャンネル番号に加え、ＥＩＴにおける前述した各記述子に含まれる番組名、番組ジャンルおよび番組記述などの情報を取得する（ステップＳ３）。
【００２３】
ＣＰＵ２０はこの取得した情報の音声合成を指示する旨の制御信号を音声合成処理部１７に出力する。音声合成処理部１７はＣＰＵ２０からの制御信号の入力にともない、音声メモリ部２２に記憶される音声データをもとに前述した放送局名、チャンネル番号に加え、ＥＩＴに含まれる番組名および番組内容の音声合成を行ない、この音声を音声デコード部１４を介してスピーカ２５から出力させる（ステップＳ４，Ｓ５）。
【００２４】
例えば、走行中に選局された放送が野球中継であった場合にはデータ放送用データから番組のジャンルである「スポーツ、野球」が抽出され、スピーカ２５からは「スポーツ、野球」との音声が出力されることになる。これにより運転手は選局されている番組の情報を容易に認識できる。
【００２５】
これにより、例えば現在選局されている放送の内容が分からないなどの理由で運転手が別のチャンネルへの選局操作などを行なうことを防止できる。よって車両の運転の安全性を向上させることができる。
【００２６】
図４は、本発明の実施形態にしたがったディジタル放送車載受信装置の構成の変形例を示すブロック図である。  
図４に示すように、このディジタル放送車載受信装置１は図１に示した形態と異なり、チューナ部１１、ディジタル復調部１２、ＴＳデコード部１３、音声デコード部１４、映像デコード部１５、データ放送デコード部１６、ＲＡＭ１８、ＲＯＭ１９、ＣＰＵ２０および入出力インタフェース２１を備える。
【００２７】
また、ディジタル放送車載受信装置１はカーナビゲーション装置３０に搭載される。カーナビゲーション装置３０は音声合成処理部１７、音声メモリ部２２、スピーカ２５、表示部２６およびセレクタ２７を備える。
【００２８】
また、音声合成処理部１７は図１に示した構成と異なり、セレクタ２７を介してスピーカ２５と接続される。映像デコード部１５はセレクタ２７を介して表示部２６。セレクタ２７は音声デコード部１４からの音声と音声合成処理部１７からの音声のうち一方をスピーカ２５に出力する。
【００２９】
この変形例では、ＣＰＵ２０は前述したように音声合成を指示する旨の制御信号を音声合成処理部１７に出力した際に、音声合成処理部１７からの音声を出力用の信号として選択する旨を示す制御信号をセレクタ２７に出力する。
【００３０】
セレクタ２７は、ＣＰＵ２０からの制御信号の入力にともない、音声合成処理部１７からの音声をスピーカ２５に出力し、音声デコード部１４からの音声、つまり放送の通常音声はスピーカ２５に出力しない。これにより運転手は音声合成処理部１７により合成された音声のみを聞くことができるので、番組内容をより明瞭に把握できる。
【００３１】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００３２】
【図１】本発明の実施形態にしたがったディジタル放送車載受信装置の構成例を示すブロック図。
【図２】本発明の実施形態にしたがったディジタル放送車載受信装置が受信した電波に含まれるコンテント記述子テーブルの構成例を表形式で示した図。
【図３】本発明の実施形態にしたがったディジタル放送車載受信装置の処理動作の一例を示すフローチャート。
【図４】本発明の実施形態にしたがったディジタル放送車載受信装置の構成の変形例を示すブロック図。
【符号の説明】
【００３３】
１…ディジタル放送車載受信装置、１０…アンテナ、１１…チューナ部、１２…ディジタル復調部、１３…ＴＳ（Transport Stream）デコード部、１４…音声デコード部、１５…映像デコード部、１６…データ放送デコード部、１７…音声合成処理部、１８…ＲＡＭ、１９…ＲＯＭ、２０…ＣＰＵ、２１…入出力インタフェース、２２…音声メモリ部、２３…バスライン、２４…リモコン、２５…スピーカ、２６…表示部、２７…セレクタ、３０…カーナビゲーション装置、３１…走行状態検出部、３２…車速センサ、３３…パーキングブレーキセンサ。
【図１】
2007235417.tif 000003
【図２】
2007235417.tif 000004
【図３】
2007235417.tif 000005
【図４】
2007235417.tif 000006